(57)【特許請求の範囲】
【請求項１】
互いに対向する前胴周り域および後胴周り域と、それら胴周り域の間に位置する股下域と、縦方向へ延びる両側縁部と、横方向へ延びる両端縁部とを備え、前記前胴周り域と前記後胴周り域とが、それら胴周り域の両側縁部に延びる接合領域で連結されて胴周り開口と一対の脚周り開口とが画成され、胴周り方向へ伸縮する胴周り用弾性部材が、前記胴周り開口に沿って伸長状態で取り付けられ、脚周り方向へ伸縮する脚周り用弾性部材が、前記脚周り開口に沿って伸長状態で取り付けられ、前記胴周り用弾性部材の下方に位置して前記胴周り方向へ伸縮する補助弾性部材が、前記前後胴周り域に伸長状態で取り付けられ、前記胴周り用弾性部材が、第１両端部と、前記第１両端部の間に延びる第１中間部とを有し、前記脚周り用弾性部材が、第２両端部と、前記第２両端部の間に延びる第２中間部とを有し、前記補助弾性部材が、第３両端部と、前記第３両端部の間に延びる第３中間部とを有するパンツ型の使い捨て着用物品において、
前記胴周り用弾性部材の第１両端部が、前記接合領域から胴周り方向内方へ偏倚した前記両側縁部の第１部位に位置し、前記第１両端部の先端部分が、前記第１部位に接着剤を介して固定され、前記胴周り用弾性部材の第１中間部が、前記両端縁部に接着剤を介して間欠的に固定され、
前記脚周り用弾性部材の第２両端部が、前記接合領域から脚周り方向内方へ偏倚した前記両側縁部の第２部位に位置し、前記第２両端部の先端部分が、前記第２部位に接着剤を介して固定され、前記脚周り用弾性部材の第２中間部が、前記股下域の両側縁部に接着剤を介して間欠的に固定され、
前記補助弾性部材の第３両端部が、前記接合領域から胴周り方向内方へ偏倚した前記両側縁部の第３部位に位置し、前記第３両端部の先端部分が、前記第３部位に接着剤を介して固定され、前記補助弾性部材の第３中間部が前記前後胴周り域に接着剤を介して間欠的に固定されていることを特徴とする前記着用物品。
【請求項２】
前記接合領域における前記前胴周り域と前記後胴周り域との剥離強度が、前記接合領域の縦方向の長さ２５ｍｍに対して４〜４０Ｎの範囲にある請求項１記載の着用物品。
【発明の詳細な説明】
【０００１】
【発明の属する技術分野】
本発明は、パンツ型の使い捨て着用物品に関し、より詳しくは、パンツ型の使い捨ておむつやトレーニングパンツ、失禁者用パンツ等の着用物品に関する。
【０００２】
【従来の技術】
特開平９−３８１３４号公報は、透液性表面シートと不透液性裏面シートとの間に吸液性コアが介在し、前後胴周り域とそれら胴周り域の間に位置する股下域とを備え、前後胴周り域がそれら胴周り域の両側縁部に延びる接合領域で連結され、胴周り開口と一対の脚周り開口とが画成されたパンツ型の使い捨て着用物品を開示している。接合領域では、多数の熱融着部が縦方向へ所要寸法離間して間欠的に並んでいる。
【０００３】
着用物品の脱衣時では、前後胴周り域をそれら胴周り域が互いに離間する方向へ引っ張り、着用物品を接合領域において胴周り開口から脚周り開口へ向かって引き裂く。
【０００４】
胴周り開口を画成する両端縁部には、胴周り方向へ伸縮する胴周り用弾性部材が伸長状態で取り付けられている。脚周り開口を画成する両側縁部には、脚周り方向へ伸縮する脚周り用弾性部材が伸長状態で取り付けられている。前後胴周り域における胴周り用弾性部材の下方には、胴周り方向へ伸縮する補助弾性部材が伸長状態で取り付けられている。
【０００５】
それら弾性部材は、両端部と、両端部の間に延びる中間部とを有する。胴周り用弾性部材と脚周り用弾性部材とは、それらの両端部と中間部とが表面シートと裏面シートとの間に介在し、それらシートの少なくとも一方の内面に接着剤を介して間欠的に固定されている。補助弾性部材は、その両端部が表面シートと裏面シートとの間に介在し、それらシートの少なくとも一方の内面に接着剤を介して間欠的に固定され、その中間部が裏面シートの内面に接着剤を介して間欠的に固定されている。補助弾性部材の中間部は、コアを胴周り方向へ横切るように延びている。それら弾性部材の両端部は、その一部が接合領域に位置している。
【０００６】
【発明が解決しようとする課題】
同号公報に開示の着用物品では、胴周り用弾性部材や周り用弾性部材、補助弾性部材の両端部の一部が接合領域に位置しているので、着用物品を接合領域において引き裂くときに、それら弾性部材の両端部が抵抗となって引き裂き操作が円滑に行えない場合がある。
【０００７】
本発明の目的は、接合領域において円滑に引き裂くことができるパンツ型の使い捨て着用物品を提供することにある。
【０００８】
【課題を解決するための手段】
前述した課題を解決するための本発明は、互いに対向する前胴周り域および後胴周り域と、それら胴周り域の間に位置する股下域と、縦方向へ延びる両側縁部と、横方向へ延びる両端縁部とを備え、前記前胴周り域と前記後胴周り域とが、それら胴周り域の両側縁部に延びる接合領域で連結されて胴周り開口と一対の脚周り開口とが画成され、胴周り方向へ伸縮する胴周り用弾性部材が、前記胴周り開口に沿って伸長状態で取り付けられ、脚周り方向へ伸縮する脚周り用弾性部材が、前記脚周り開口に沿って伸長状態で取り付けられ、前記胴周り用弾性部材の下方に位置して前記胴周り方向へ伸縮する補助弾性部材が、前記前後胴周り域に伸長状態で取り付けられ、前記胴周り用弾性部材が、第１両端部と、前記第１両端部の間に延びる第１中間部とを有し、前記脚周り用弾性部材が、第２両端部と、前記第２両端部の間に延びる第２中間部とを有し、前記補助弾性部材が、第３両端部と、前記第３両端部の間に延びる第３中間部とを有するパンツ型の使い捨て着用物品を改良することにある。
【０００９】
改良にかかる本発明の特徴は、前記胴周り用弾性部材の第１両端部が、前記接合領域から胴周り方向内方へ偏倚した前記両側縁部の第１部位に位置し、前記第１両端部の先端部分が、前記第１部位に接着剤を介して固定され、前記胴周り用弾性部材の第１中間部が、前記両端縁部に接着剤を介して間欠的に固定され、前記脚周り用弾性部材の第２両端部が、前記接合領域から脚周り方向内方へ偏倚した前記両側縁部の第２部位に位置し、前記第２両端部の先端部分が、前記第２部位に接着剤を介して固定され、前記脚周り用弾性部材の第２中間部が、前記股下域の両側縁部に接着剤を介して間欠的に固定され、前記補助弾性部材の第３両端部が、前記接合領域から胴周り方向内方へ偏倚した前記両側縁部の第３部位に位置し、前記第３両端部の先端部分が、前記第３部位に接着剤を介して固定され、前記補助弾性部材の第３中間部が前記前後胴周り域に接着剤を介して間欠的に固定されていることにある。
【００１０】
本発明の実施の態様の一例としては、前記接合領域における前記前胴周り域と前記後胴周り域との剥離強度が、前記接合領域の縦方向の長さ２５ｍｍに対して４〜４０Ｎの範囲にある。
【００１１】
【００１２】
【００１３】
【発明の実施の形態】
添付の図面を参照し、本発明に係るパンツ型の使い捨て着用物品の詳細をパンツ型の使い捨ておむつを例として説明すると、以下のとおりである。
【００１４】
図１，２は、前胴周り域２０の側から示す使い捨ておむつ１の部分破断斜視図と、裏面シート３の側から示す図１のおむつ１の展開平面図とであり、図３は、図２のＡ−Ａ線端面図である。
【００１５】
おむつ１は、透液性表面シート２と、不透液性裏面シート３と、表面シート２と裏面シート３との間に介在し、表面全域が透水性のティッシュペーパー（図示せず）に被覆、接合された吸液性コア４とを主要な構成部材とする。コア４は、ティッシュペーパーを介して表面シート２と裏面シート３との少なくとも一方の内面に接合されている。
【００１６】
おむつ１は、図２に示すように、縦方向に前胴周り域２０と、後胴周り域２２と、前後胴周り域２０，２２の間に位置する股下域２１とを備えている。おむつ１は、互いに並行して縦方向へ延びる両側縁部１ａと、互いに並行して横方向へ延びる両端縁部１ｂとを有する。両側縁部１ａは、股下域２１においておむつ１の横方向内方へ向かって弧を画いている。表面シート２と裏面シート３とは、コア４の周縁から周り方向外方へ延びるそれらシート２，３の部分が互いに重なり合った状態で固着されている。前後胴周り域２０，２２の両側縁部１ａには、接合領域Ｂ１が形成されている。接合領域Ｂ１では、多数の熱融着部７が縦方向へ所要寸法離間して間欠的に並んでいる。おむつ１では、仮想線Ｚと前後胴周り域２０，２２の側縁１ｃとの間の熱融着部７を取り囲む部位が接合領域Ｂ１となる。
【００１７】
おむつ１では、前後胴周り域２０，２２の両側縁部１ａが合掌状に重なり合い、それら胴周り域２０，２２の両側縁部１ａが接合領域Ｂ１において接合されている。おむつ１には、図１の上方へ向かって開口する胴周り開口５と、図１の左右へ向かって開口する一対の脚周り開口６とが画成されている。
【００１８】
おむつ１では、胴周り方向Ｘへ延びる複数条の胴周り用弾性部材８が胴周り開口５に沿って伸長状態で取り付けられ、脚周り方向Ｙへ延びる複数条の脚周り用弾性部材９が脚周り開口６に沿って伸長状態で取り付けられている。胴周り用弾性部材８と脚周り用弾性部材９とは、表面シート２と裏面シート３との間に介在している。
【００１９】
胴周り用弾性部材８は、前後胴周り域２０，２２の両側縁部１ａに位置する両端部８ａ（第１両端部）と、両端部８ａの間に延びる中間部８ｂ（第１中間部）とを有する。両端部８ａは、接合領域Ｂ１から胴周り方向Ｘ内方へ偏倚した両側縁部１ａの部位Ｂ２（第１部位）に配置されている。両端部８ａは、部位Ｂ２においてその先端部分が表裏面シート２，３の内面に接着剤１０を介して固定されている。中間部８ｂは、両端縁部１ｂに位置し、表裏面シート２，３の内面に接着剤１１を介して間欠的に固定されている。
【００２０】
脚周り用弾性部材９は、前後胴周り域２０，２２の両側縁部１ａに位置する両端部９ａ（第２両端部）と、両端部９ａの間に延びる中間部９ｂ（第２中間部）とを有する。両端部９ａは、接合領域Ｂ１から脚周り方向Ｙ内方へ偏倚した両端縁部１ｂの部位Ｂ３（第２部位）に配置されている。両端部９ａは、部位Ｂ３においてその先端部分が表裏面シート２，３の内面に接着剤１２を介して固定されている。中間部９ｂは、股下域２１の両側縁部１Ａに位置し、表裏面シート２，３の内面に接着剤１３を介して間欠的に固定されている。
【００２１】
おむつ１は、それら弾性部材８，９の存在下に、胴周り開口５を画成する両端縁部１ｂが胴周り方向Ｘへ伸縮性を有し、脚周り開口６を画成する両側縁部１ａが脚周り方向Ｙへ伸縮性を有する。図１では、それら弾性部材８，９が収縮し、両側縁部１ａと両端縁部１ｂとに多数のギャザーが形成されている。
【００２２】
弾性部材８，９は、それらの両端部８ａ，９ａが表裏面シート２，３から剥離してしまうことを防ぐため、両端部８ａ，９ａが表裏面シート２，３の内面に強固に固定されている。
【００２３】
おむつ１の脱衣時では、おむつ１を接合領域Ｂ１において、胴周り開口５から脚周り開口６へ向かって縦方向へ引き裂く。おむつ１では、接合領域Ｂ１に弾性部材８，９の両端部８ａ，９ａが存在しないので、接合領域Ｂ１における熱融着部７の剥離強度のみが、おむつ１を接合領域Ｂ１において引き裂くときの抵抗となる。
【００２４】
おむつ１では、接合領域Ｂ１における剥離強度が領域Ｂ１の縦方向の長さ２５ｍｍに対して４〜４０Ｎの範囲にある。剥離強度が４Ｎ／２５ｍｍ未満では、おむつ１の着用中に両側縁部１ａと両端縁部１ｂとを広げる方向へ張力が作用したときに、おむつ１が接合領域Ｂ１において不用意に剥離してしまう場合がある。剥離強度が４０Ｎ／２５ｍｍを超過すると、おむつ１を接合領域Ｂ１において引き裂くときに強い力を要する。
【００２５】
図４，５は、前胴周り域２０の側から示す他の実施の形態のおむつ１の部分破断斜視図と、裏面シート３の側から示す図４のおむつ１の展開平面図とであり、図６は、図５のＢ−Ｂ線端面図である。
【００２６】
おむつ１は、透液性表面シート２と、不透液性裏面シート３と、それらシート２，３の間に介在し、表面全域が透水性のティッシュペーパー（図示せず）に被覆、接合された吸液性コア４とを主要な構成部材とする。おむつ１は、前胴周り域２０と、後胴周り域２２と、前後胴周り域２０，２２の間に位置する股下域２１とを備え、互いに並行して縦方向へ延びる両側縁部１ａと、互いに並行して横方向へ延びる両端縁部１ｂとを有する。両側縁部１ａは、股下域２１においておむつ１の横方向内方へ向かって弧を画いている。
【００２７】
おむつ１では、合掌状に重なり合う前後胴周り域２０，２２の両側縁部１ａが接合領域Ｂ１において接合されている。おむつ１には、図４の上方へ向かって開口する胴周り開口５と、図４の左右に向かって開口する一対の脚周り開口６とが画成されている。
【００２８】
図４のおむつ１が図１のそれと異なる点は、以下のとおりである。接合領域Ｂ１には、図５に示すように、接着剤１７がドット状に塗布されている。おむつ１では、仮想線Ｚと前後胴周り域２０，２２の側縁１ｃとの間の接着剤１７の塗布域が接合領域Ｂ１となる。
【００２９】
おむつ１の前後胴周り域２０，２２には、胴周り用弾性部材８と脚周り用弾性部材９との他に、胴周り用弾性部材８の下方に位置して胴周り方向Ｘへ延びる複数条の補助弾性部材１４が伸長状態で取り付けられている。補助弾性部材１４は、前後胴周り域２０，２２における胴周り用弾性部材８と脚周り用弾性部材９との間に配置されてコア４を胴周り方向Ｘへ横切るように延びている。
【００３０】
補助弾性部材１４は、前後胴周り域２０，２２の両側縁部１ａに位置する両端部１４ａ（第３両端部）と、両端部１４ａの間に延びる中間部１４ｂ（第３中間部）とを有する。両端部１４ａは、接合領域Ｂ１から胴周り方向Ｘ内方へ偏倚した両側縁部１ａの部位Ｂ４（第３部位）に配置されている。両端部１４ａは、表裏面シート２，３の間に介在し、部位Ｂ４においてその先端部分が表裏面シート２，３の内面に接着剤１５を介して固定されている。中間部１４ｂは、前後胴周り域の２０，２２の中央に位置し、裏面シート３とコア４との間に介在してそれらのうちの少なくとも裏面シート３の内面に接着剤１６を介して間欠的に固定されている。
【００３１】
おむつ１は、それら弾性部材８，９，１４の存在下に、胴周り開口５を画成する両端縁部１ｂと前後胴周り域の２０，２２の中央とが胴周り方向Ｘへ伸縮性を有し、脚周り開口６を画成する両側縁部１ａが脚周り方向Ｙへ伸縮性を有する。図４では、それら弾性部材８，９，１４が収縮し、両側縁部１ａと両端縁部１ｂと前後胴周り域の２０，２２の中央とに多数のギャザーが形成されている。
【００３２】
前胴周り域２０に取り付けられた補助弾性部材１４は、胴周り用弾性部材８と相俟って着用者の胴周りを締め付けるとともに、コア４を着用者の肌に当接させるように機能する。補助弾性部材１４は、前後胴周り域２０，２２に取り付けられることの他に、前胴周り域２０と後胴周り域２２とのいずれか一方に取り付けられていてもよい。
【００３３】
弾性部材８，９，１４は、それらの両端部８ａ，９ａ，１４ａが表裏面シート２，３から剥離してしまうことを防ぐため、両端部８ａ，９ａ，１４ａが表裏面シート２，３の内面に強固に固定されている。
【００３４】
おむつ１では、接合領域Ｂ１に弾性部材８，９，１４の両端部８ａ，９ａ，１４ａが存在しないので、接合領域Ｂ１における接着剤１７の剥離強度のみが、おむつ１を接合領域Ｂ１において引き裂くときの抵抗となる。図４に示すおむつ１は、図１のそれと同様に、接合領域Ｂ１における剥離強度が、領域Ｂ１の縦方向の長さ２５ｍｍに対して４〜４０Ｎの範囲にある。
【００３５】
表面シート２には、不織布や開孔プラスチックフィルム等の透液性のシート、好ましくは透液性であって親水性のシートを使用することができる。裏面シート３には、疎水性不織布、不透液性のプラスチックフィルム、または、疎水性不織布とプラスチックフィルムとのラミネートシート、好ましくは通気不透液性のシートを使用することができる。また、裏面シート３には、高い耐水性を有するメルトブローン不織布の両シート面を、高い強度を有しかつ柔軟性に富んだスパンボンド不織布のシート面で挟んだ複合不織布（ＳＭＳ不織布）を使用することもできる。
【００３６】
不織布としては、スパンレース、ニードルパンチ、メルトブローン、サーマルボンド、スパンボンド、ケミカルボンド等により製造されたものを使用することができる。不織布の構成繊維としては、ポリオレフィン系、ポリエステル系、ポリアミド系、の各繊維、ポリエチレン／ポリプロピレンまたはポリエステルからなるシックアンドシン型またはサイドバイサイド型等の複合繊維を使用することができる。
【００３７】
弾性部材８，９，１４は、天然ゴムや合成ゴムからなるエラストマーであり、その形態として糸状やフィラメント状、フィルム状、帯状のもののいずれかを使用することができる。図１と図４とに示すおむつ１の胴周り用弾性部材８と脚周り用弾性部材９とは、それら弾性部材８，９の両端部８ａ，９ａが部位Ｂ２，Ｂ３における表面シート２と裏面シート３との内面に接着剤１０，１２を介して連続的に固定され、それら弾性部材８，９の中間部８ｂ，９ｂが表面シート２と裏面シート３との内面に接着剤１１，１３を介して連続的に固定されていてもよい。さらに、図４に示すおむつ１の補助弾性部材１４は、その両端部１４ａが部位Ｂ４における表面シート２と裏面シート３との内面に接着剤１５を介して連続的に固定され、その中間部１４ｂが裏面シート３とコア４との少なくとも裏面シート３の内面に接着剤１６を介して連続的に固定されていてもよい。
【００３８】
コア４は、木材パルプを粉砕して得られるフラッフパルプと高吸収性ポリマー粒子との混合物であり、所要の厚みに圧縮されている。高吸収性ポリマーとしては、澱粉のグラフト重合体、セルロース変性体、水溶性高分子の架橋物、自己架橋型アクリル酸アルカリ金属塩等を使用することができる。
【００３９】
シート２，３どうしの固着やシート２，３に対するコア４の接合には、ホットメルト接着剤等の接着剤や粘着剤、または、ヒートシールやソニックシール等の熱融着の手段を利用することができる。接着剤１０，１１，１２，１３，１５，１６，１７としては、ホットメルト接着剤を使用することが好ましい。弾性部材８，９，１４の固定には、接着剤１０，１１，１２，１３，１５，１６の他に、熱融着の技術を利用することもできる。
【００４０】
この発明は、使い捨ておむつの他に、トレーニングパンツ、失禁用パンツ等でも実施することができる。
【００４１】
【発明の効果】
本発明に係るパンツ型の使い捨て着用物品によれば、胴周り用弾性部材や補助弾性部材の両端部が接合領域から胴周り方向内方へ偏倚した部位（第１および第３部位）に配置、固定され、脚周り用弾性部材の両端部が接合領域から脚周り方向内方へ偏倚した部位に（第２部位）配置、固定されているので、それら弾性部材の両端部が抵抗となることはなく、脱衣時に着用物品を接合領域において円滑に引き裂くことができる。
【００４２】
また、着用物品では、接合領域における剥離強度が、接合領域の縦方向の長さ２５ｍｍに対して４〜４０Ｎの範囲にあるので、着用物品が接合領域において不用意に剥離してしまうことはなく、着用物品を接合領域において引き裂くときに強い力を必要とすることもない。
【図面の簡単な説明】
【図１】  前胴周り域の側から示す使い捨ておむつの部分破断斜視図。
【図２】  裏面シートの側から示す図１のおむつの展開平面図。
【図３】  図２のＡ−Ａ線端面図。
【図４】  前胴周り域の側から示す他の実施の形態のおむつの部分破断斜視図。
【図５】  裏面シートの側から示す図４のおむつの展開平面図。
【図６】  図５のＢ−Ｂ線端面図。
【符号の説明】
１          パンツ型の使い捨ておむつ（パンツ型の使い捨て着用物品）
１ａ        両側縁部
２          透液性表面シート
３          不透液性裏面シート
４          吸液性コア
５          胴周り開口
６          脚周り開口
８          胴周り用弾性部材
８ａ        両端部（第１両端部）
８ｂ        中間部（第１中間部）
９          脚周り用弾性部材
９ａ        両端部（第２両端部）
９ｂ        中間部（第２中間部）
１０ 接着剤
１１ 接着剤
１２ 接着剤
１３ 接着剤
１４          補助弾性部材
１４ａ        両端部（第３両端部）
１４ｂ        中間部（第３中間部）
１５ 接着剤
１６ 接着剤
２０          前胴周り域
２１          股下域
２２          後胴周り域
Ｂ１          接合領域
Ｂ２          部位（第１部位）
Ｂ３          部位（第２部位）
Ｂ４          部位（第３部位）
Ｘ          胴周り方向
Ｙ          脚周り方向
【図１】
0003699331.tif 000002
【図２】
0003699331.tif 000003
【図３】
0003699331.tif 000004
【図４】
0003699331.tif 000005
【図５】
0003699331.tif 000006
【図６】
0003699331.tif 000007